(57)【特許請求の範囲】
【請求項１】
床に形成された屋内導入部を通して、保温材で被覆された配管が屋内に導入される建物の床下配管防蟻構造において、前記保温材の少なくとも一端には、前記保温材の表面の全周に密着しかつ前記配管の表面の全周に密着するシール部材を備え、
前記シール部材は熱収縮チューブであることを特徴とする床下配管防蟻構造。
【請求項２】
請求項１に記載の床下配管防蟻構造において、前記保温材は前記屋内導入部から下方へ延びており、前記シール部材は前記下方に延びた保温材の下端部に設置されていることを特徴とする床下配管防蟻構造。
【請求項３】
請求項１に記載の床下配管防蟻構造において、前記シール部材は前記屋内に露出する前記保温材の屋内側端部に設置されていることを特徴とする床下配管防蟻構造。
【請求項４】
床に形成された屋内導入部を通して、保温材で被覆された配管が屋内に導入される建物の床下配管防蟻方法であって、前記保温材の少なくとも一端に熱収縮チューブからなるシール部材を設置し、このシール部材を前記保温材の表面の全周に密着させ、かつ前記配管の表面に全周で密着させ、当該シール部材の一端が前記保温材の表面を覆い、かつ他端が前記配管の表面を覆う状態で加熱し、前記シール部材を収縮させることを特徴とする床下配管防蟻方法。
【発明の詳細な説明】
【０００１】
【発明の属する技術分野】
本発明は、建物の床下配管防蟻構造およびその方法に関する。例えば、木造住宅の床下配管等に利用できる。
【０００２】
【背景技術】
従来、住宅等の建築物、特に木造建築においては、基礎部分で防蟻処理を行っている。例えば、一階床面の下面には全面に亘って防蟻シートが貼られ、基礎に乗る土台は防蟻剤で処理されている。これによって、白蟻が基礎部分を登って屋内へ侵入できないようにしている。
【０００３】
屋内への配管は、一般に、基礎内側の地中から立上がって、屋内導入部で防蟻シートおよび一階床面を貫通して設置されている。したがって、白蟻は地中を通り抜けて基礎内側の地面に到達し、地面から立上がる配管を登って屋内導入部から屋内に侵入する可能性がある。よって、防蟻シートの貫通孔の補修を確実に行う必要があった。
この場合、防蟻シートの貫通部の上側から補修を行うが、専用の粘着テープ等を使用しても、防蟻シートに柔軟性があるため施工が難しく、確実に防蟻処理を行うことが困難であった。
【０００４】
以上のような課題を解決するために、本出願人は先に配管接続構造（実開平5-42362号公報）を提案した。これは、床の配管位置に予め貫通孔を設けて、この貫通孔に配管を挿通させるとともに、この貫通孔と配管との隙間を塞ぐために、防蟻剤が塗布された防蟻キャップを床下に設置する構成である。なお、この防蟻キャップは、中央に配管径と等しい大きさの孔が開いた環状の部材であって、配管がこの防蟻キャップの孔に密着して挿通されるとともに、防蟻キャップの端部で床下に設置された防蟻シートの端部を床材に押さえ込んで密着する構造になっている。
【０００５】
【発明が解決しようとする課題】
ところで、配管と床材との隙間から白蟻が侵入するのを防ぐには、上述した配管接続構造で対応できるが、配管に保温材が被覆されている場合、配管と保温材との隙間を白蟻が通り抜けて屋内に侵入する可能性が考えられる。
【０００６】
本発明の目的は、白蟻が配管と保温材との隙間を通り抜けて屋内へ侵入するのを容易かつ確実に防止できる床下配管防蟻構造およびその方法を提供することにある。
【０００７】
【課題を解決するための手段】
上記目的を達成するため、本発明の床下配管防蟻構造およびその方法は、次の構成を採用する。本発明を図面を参照して説明すると、請求項１に記載の床下配管防蟻構造は、床３に形成された屋内導入部１８を通して、保温材１２Ａで被覆された配管１２が屋内に導入される建物１の床下配管防蟻構造において、前記保温材１２Ａの少なくとも一端には、前記保温材１２Ａの表面の全周に密着しかつ前記配管１２の表面の全周に密着するシール部材３０を備え、前記シール部材は熱収縮チューブであることを特徴とする。
【０００８】
この発明によれば、保温材で被覆された配管を、建物の床に設けられた屋内導入部を通して屋外から屋内に導入し、保温材の屋外側および屋内側のうち少なくとも一方の端部にシール部材を設ける。このシール部材は配管と保温材の両方に密着しているので、配管とシール部材との接続部分や、シール部材と保温材との接続部分を、白蟻が通り抜けることができない。したがって、白蟻が配管と保温材との隙間を通り抜けて屋内へ侵入するのを容易かつ確実に防止できる。
また、シール部材が配管や保温材に密着することによって保温材を配管に対して保持する機能を併せて持たせることができるから、保温材がずれることがなく、品質が向上する。
【０００９】
また、前記シール部材は熱収縮チューブであることにより、加熱することによって収縮するチューブでシール部材を形成するから、配管および保温材が変則的な形状であっても、これらの形状に適合して収縮するから、シール部材が配管に確実に密着し、施工容易である。また、配管や保温材の形状に対応して収縮するから、配管や保温材の外径の種類別にシール部材を製作する必要がなく、コスト削減になる。
【００１０】
請求項２に記載の床下配管防蟻構造は、請求項１に記載の床下配管防蟻構造において、前記保温材は前記屋内導入部から下方へ延びており、前記シール部材は前記下方に延びた保温材の下端部に設置されていることを特徴とする。この発明によれば、屋内導入部よりも屋外側の保温材の下端部にシール部材を設けるから、白蟻が配管と保温材との隙間を通り抜けて屋内導入部に到達することがないので、白蟻の屋内への侵入を確実に防止できる。
【００１１】
請求項３に記載の床下配管防蟻構造は、請求項１に記載の床下配管防蟻構造において、前記シール部材は前記屋内に露出する前記保温材の屋内側端部に設置されていることを特徴とする。この発明によれば、屋内に露出する保温材の屋内側端部にシール部材を設けるから、建物の床の設置後にこの床の上からシール部材の施工ができるので施工容易であり、また、施工後の防蟻処理状況を視認できるので管理が容易である。
【００１２】
請求項４に記載の床下配管防蟻方法は、床に形成された屋内導入部を通して、保温材で被覆された配管が屋内に導入される建物の床下配管防蟻方法であって、前記保温材の少なくとも一端に熱収縮チューブからなるシール部材を設置し、このシール部材を前記保温材の表面の全周に密着させ、かつ前記配管の表面に全周で密着させ、当該シール部材の一端が前記保温材の表面を覆い、かつ他端が前記配管の表面を覆う状態で加熱し、前記シール部材を収縮させることを特徴とする。この発明によれば、請求項１と同様に、配管とシール部材との接続部分や、シール部材と保温材との接続部分を、白蟻が通り抜けることができない。したがって、白蟻が配管と保温材との隙間を通り抜けて屋内に侵入するのを容易かつ確実に防止できる。
【００１３】
さらに、シール部材の一端が前記保温材の表面を覆い、かつ他端が前記配管の表面を覆う状態で加熱し、前記シール部材を収縮させることで、配管および保温材が変則的な形状であっても、確実に密着でき、施工容易である。また、配管や保温材の外径の種類別にチューブを製作する必要がなく、コスト削減になる。
【００１４】
【発明の実施の形態】
以下、本発明の実施形態を図面に基づいて説明する。なお、以下の実施形態の説明にあたって、同一構成要件については同一符号を付し、その説明を省略もしくは簡略化する。
〔第１実施形態〕
図１には、本発明の第１実施形態における木造建物１が示されている。
木造建物１は、布基礎２と、この布基礎２の上に設置された床構造３と、この床構造３の上に設置された壁等の躯体４と、布基礎２と床構造３とを貫通して屋外から屋内へと繋がっている配管構造１０とを備えている。配管構造１０は、布基礎２の内側では地面から離隔して設置されている。
ここで、屋内とは、壁等の躯体４と床構造３とで囲まれて形成された空間であって、例えば、キッチン、トイレ、洗面所等の配管を必要とする部屋であるが、部屋に限らず上階へのパイプスペース等でもよい。
【００１５】
図２には、床構造３と配管構造１０の拡大断面図が示されている。
配管構造１０は、屋外から布基礎２を貫通して床構造３の直下を略水平に延びる主管１１と、この主管１１の中間部分に介在されるチーズ管２０と、このチーズ管２０に連結され略鉛直に延びて床構造３を貫通する枝管１２とを備えている。また、主管１１および枝管１２は、その周囲を覆って保温する保温材１１Ａおよび保温材１２Ａとを備えている。
主管１１、枝管１２およびチーズ管２０は銅管であるが、銅管に限らず、鉄管、鉛管、鋳鉄管等でもよい。
【００１６】
床構造３は、床材１７と、この床材１７の下面に全面に亘って貼り付けられた防蟻シート１９とを含んで構成されている。なお、防蟻シート１９に代えて、床材１７に防蟻剤を塗布して防蟻処理をしてもよい。
床材１７は、複数の芯材の上下に合板を設置したパネル工法の床パネル材であって、屋内導入部１８を備えている。なお、床材１７は、床パネル材に限らず、在来工法の床材等でもよい。
【００１７】
屋内導入部１８は、床材１７に形成された挿通孔１８Ａと、この挿通孔１８Ａに設置された防蟻キャップ５０とを備えている。挿通孔１８Ａに保温材１２Ａで被覆された枝管１２が挿通され、この枝管１２と挿通孔１８Ａとの隙間は防蟻キャップ５０で塞がれている。
【００１８】
防蟻キャップ５０は、挿通孔１８Ａの下端に嵌着されたガイドキャップ５１と、ガイドキャップ５１の下面に当接して保温材１２Ａで被覆された枝管１２に嵌着される防蟻キャップ５２と、挿通孔１８Ａの上端に当接して、かつ保温材１２Ａで被覆された枝管１２に嵌着される穴塞ぎ用キャップ５３とを含んで構成されている。
ガイドキャップ５１は、合成樹脂製の環状部材であって、その外周端部は防蟻シート１９に密着している。防蟻キャップ５２は、剛質ゴム製の環状部材であって、その内周端部はゴムの弾性力によって枝管１２の保温材１２Ａに密着し、その外周端部はガイドキャップ５１の下面に密着している。穴塞ぎ用キャップ５３は、防蟻キャップ５２と同一部材であって、その内周端部はゴムの弾性力によって枝管１２の保温材１２Ａに密着している。穴塞ぎ用キャップ５３と防蟻キャップ５２とで、床構造３とガイドキャップ５１とを挟持するようになっている。
【００１９】
チーズ管２０は、主管１１と枝管１２とを連結するためのＴ字形の配管であって、Ｔ字形の両端部に設けられたねじ込み部２０Ａと、Ｔ字形の残りの端部に設けられたねじ込み部２０Ｂとを備え、主管１１がねじ込み部２０Ａに螺合されて連結され、枝管１２がねじ込み部２０Ｂに螺合されて連結されている。
【００２０】
保温材１１Ａ、１２Ａは、グラスウール製であって、各々ねじ込み部２０Ａ、２０Ｂの手前まで延びている。なお、保温材１１Ａ、１２Ａは、グラスウール製に限らず、岩綿等その他の材料で形成してもよい。
また、チーズ管２０には、発泡スチロール製の保温カバー１３（図中二点鎖線で示す）が設けられている。保温カバー１３は、チーズ管２０全体と、保温材１１Ａ、１２Ａのチーズ管２０側の端部とを覆っている。
【００２１】
チーズ管２０と枝管１２との連結部分は、シール部材３０で覆われている。シール部材３０は、加熱することによって収縮する円筒形状の熱収縮チューブであって、その一端はチーズ管２０表面の全周に密着し、他端は保温材１２Ａの下端部であるチーズ管２０側端部の表面の全周に密着するとともに、チーズ管２０のねじ込み部２０Ｂ全体を覆っている。
【００２２】
本実施形態の施工方法は、以下のようになる。
先ず、鉄筋コンクリート造の布基礎２を施工し、この布基礎２に主管１１を貫通させ、主管１１の屋内導入部１８に対応した位置にチーズ管２０を連結する。
そして、チーズ管２０に枝管１２を連結する。この際、枝管１２をシール部材３０に挿通させておく。
そして、主管１１および枝管１２を保温材１１Ａ、１２Ａで被覆し、保温材１２Ａのチーズ管２０側の端部をシール部材３０に挿入する。このとき、シール部材３０の一端が保温材１２Ａの表面を覆い、他端がチーズ管２０の表面を覆った状態になっている。その後、シール部材３０を加熱すると、シール部材３０が収縮し、その一端がチーズ管２０表面の全周に密着し、他端が保温材１２Ａの表面の全周に密着する。
【００２３】
その後、床材１７の挿通孔１８Ａにガイドキャップ５１を嵌着し、防蟻キャップ５２を保温材１２Ａで被覆された枝管１２に嵌着する。そして、この防蟻キャップが嵌着された枝管１２をガイドキャップ５１に挿通しつつ床材１７を布基礎２上に設置する。
さらに、保温材１２Ａで被覆された枝管１２に穴塞ぎ用キャップ５３を嵌着して、穴塞ぎ用キャップ５３と防蟻キャップ５２とで、床構造３とガイドキャップ５１とを挟時する。
【００２４】
したがって、本実施形態によれば、以下の効果がある。
（１）保温材１２Ａで被覆された枝管１２を、建物の床３に設けられた屋内導入部１８を通して屋外から屋内に導入し、保温材１２Ａの屋外側および屋内側のうち屋外側端部にシール部材３０を設ける。このシール部材３０は枝管１２が連結されたチーズ管２０と保温材１２Ａの両方に密着しているので、チーズ管２０とシール部材３０との接続部分や、シール部材３０と保温材１２Ａとの接続部分を、白蟻が通り抜けることができない。したがって、白蟻が枝管１２と保温材１２Ａとの隙間を通り抜けて屋内へ侵入するのを容易かつ確実に防止できる。
また、シール部材３０がチーズ管２０や保温材１２Ａに密着することによって保温材１２Ａをチーズ管２０に対して保持する機能を併せて持たせることができるから、保温材１２Ａがずれることがなく、品質が向上する。
【００２５】
（２）加熱することによって収縮するチューブでシール部材３０を形成するから、枝管１２および保温材１２Ａが変則的な形状であっても、これらの形状に適合して収縮するから、シール部材３０が枝管１２に確実に密着し、施工容易である。
また、枝管１２や保温材１２Ａの形状に対応して収縮するから、枝管１２や保温材１２Ａの外径の種類別にシール部材３０を製作する必要がなく、コスト削減になる。
【００２６】
（３）屋内導入部１８よりも屋外側の保温材１２Ａの端部にシール部材３０を設けるから、白蟻が枝管１２と保温材１２Ａとの隙間を通り抜けて屋内導入部１８に到達することがないので、白蟻の屋内への侵入を確実に防止できる。
【００２７】
（４）白蟻が保温材１２Ａの外側を登ってきても、保温材１２Ａ、ガイドキャップ５１、防蟻キャップ５２、および防蟻シート１９が密着しているから、白蟻が保温材の表面を伝って屋内へ侵入するのを容易かつ確実に防止できる。
〔第２実施形態〕
図３には、本発明の第２実施形態が示されている。
本実施形態において、第１実施形態と異なる点は、保温材１２Ａの屋内に露出する端部にシール部材３０が設けられており、シール部材３０の一端は枝管１２表面の全周に密着し、他端は保温材１２Ａの屋内側端部の表面の全周に密着している点である。
【００２８】
したがって、本実施形態によれば、第１実施形態で述べた(１)、(２)、(４)の効果に加えて、以下の効果がある。
（５）屋内に露出する保温材１２Ａの端部にシール部材３０を設けるから、木造建物１の床構造３の設置後にこの床構造３の上からシール部材３０の施工ができるので施工容易であり、また、施工後の防蟻処理状況を視認できるので管理が容易である。
【００２９】
なお、本発明は上述の実施形態に限定されるものではなく、本発明の目的を達成できる範囲での変形、改良等は本発明に含まれるものである。
例えば、各実施形態では、シール部材３０を円筒状に形成したが、シール部材３０を帯状に形成して枝管１２に巻きつけてもよい。
また、各実施形態では、シール部材３０を熱収縮部材で形成したが、円筒状の定形部材とし、シール部材３０と保温材１２Ａとの接合部分およびシール部材３０と枝管１２との接合部分を防蟻テープ等で塞いでもよい。
【００３０】
【発明の効果】
本発明である床下配管防蟻構造およびその方法によれば、以下の効果を奏することができる。
請求項１に記載の発明によれば、保温材で被覆された配管を、建物の床に設けられた屋内導入部を通して屋外から屋内に導入し、保温材の屋外側および屋内側のうち少なくとも一方の端部にシール部材を設ける。このシール部材は配管と保温材の両方に密着しているので、配管とシール部材との接続部分や、シール部材と保温材との接続部分を、白蟻が通り抜けることができない。したがって、白蟻が配管と保温材との隙間を通り抜けて屋内へ侵入するのを容易かつ確実に防止できる。
また、シール部材が配管や保温材に密着することによって保温材を配管に対して保持する機能を併せて持たせることができるから、保温材がずれることがなく、品質が向上する。
【図面の簡単な説明】
【図１】本発明の第１実施形態に係る防蟻配管構造を示す全体断面図である。
【図２】前記実施形態に係る拡大断面図である。
【図３】本発明の第２実施形態に係る防蟻配管構造を示す拡大断面図である。
【符号の説明】
１          建物としての木造建物
３          床としての床構造
１２        配管としての枝管
１２Ａ      保温材
１８        屋内導入部
３０        シール部材
【図１】
0004520604.tif 000002
【図２】
0004520604.tif 000003
【図３】
0004520604.tif 000004